(57)【要約】【課題】送風手段を送風希望箇所に自在に適用し、かつ簡易な構造で快適に過ごすことのできる送風装置を提供すること。【解決手段】空気の流れを強制的に生じさせるための多数の送風手段１０と前記多数の送風手段１０を駆動させる電源手段４とを有する帯状送風装置１であり、複数の送風手段を帯状に配列するための連結手段と隣り合う前記送風手段の隙間から空気が逆流するのを防止する遮蔽手段とを有した帯状体６３０に埋め込まれるとともに、任意に選択した被服７３の下側に組み合わせて被着される衣服６０であって、衣服６０の裏面に設けられるスペーサ６１１により衣服６０と体７０又は衣服６０と下着７２との間に空気を流通させる流通路６１と、衣服６０の端部に設けられ外部と流通路に空気を流通させる空気流通部６２，６４との間６３に帯状送風装置１が埋め込まれた帯状体６３０が着脱自在に取り付けられるよう構成された帯状送風装置付衣服６である。【選択図】　図１
2004124828.tif 000002
【特許請求の範囲】
【請求項１】
複数の送風手段と前記送風手段を帯状に配列するための連結手段と隣り合う前記送風手段の隙間から空気が逆流するのを防止する遮蔽手段とを有し、帯状の空気の流れを生じさせる帯状送風装置。
【請求項２】
前記連結手段は可動性を有し、全体として可撓性を有した請求項１の帯状送風装置。
【請求項３】
衣服の裏面に設けられたスペーサにより衣服と体又は衣服と下着との間に空気を流通させる流通路と、衣服の端部に設けられ前記流通路に外部の空気を流通させる空気流通部とを備え、前記流通路に空気の流れを強制的に生じさせ、汗を気化させ、気化熱で体を除湿または冷却させ、空気の流れを強制的に生じさせるための請求項２の帯状送風装置。
【請求項４】
衣服と体又は衣服と下着との間の空間を上下二つに仕切り前記流通路内に空気の流れを強制的に生じさせるための複数の送風手段と、前記送風手段に電力を供給する電源手段と、前記衣服の上部及び下部に設けられ前記流通路内の空気を外部に取り出すため又は外部の空気を前記流通路内に取り入れるための空気流通部とを備え、前記送風手段によって前記空気流通部から又は前記衣服の端部から外部の空気を前記流通路内に取り入れ、その取り入れた空気を前記流通路内に体又は下着の表面に略平行に流通させるための請求項３の帯状送風装置。
【請求項５】
表面に設けられた透湿性シート素材と、前記透湿性シート素材を裏面から支えると共に空気が流通する空間を確保するための略扁平状のスペーサとを備えており、表面から前記透湿性シート素材を介して前記空間内に透過した空気を前記空間内に流通する空気によって運び出す除湿または冷却装置に用いられる、前記空間内に強制的に空気を流通させるための請求項１または２の帯状送風装置。
【請求項６】
前記送風手段はプロペラ部とモーター部が別体に設けられ前記モーター部の動力を前記プロペラ部に伝達するための動力伝達手段を有する請求項１から５いずれかの帯状送風装置。
【請求項７】
前記モーター部は一又は複数個からなり、前記プロペラ部の数は前記モーター部の数より多数であることを特徴とする請求項６の帯状送風装置。
【請求項８】
前記動力伝達手段はプーリーとファンベルトからなることを特徴とする請求項６の帯状送風装置。
【発明の詳細な説明】
【０００１】
【発明の属する技術分野】
本発明は、高温の環境下でも快適に過ごすことのできる送風装置に関する。
【０００２】
【従来の技術】
夏などの暑い季節に、暑さを解消する手段として現在最も広く用いられているのはエアーコンディショナーである。これは、部屋の空気を直接冷やすものであるため、暑さを解消するという点においては、非常に有効である。
【０００３】
しかしながら、エアーコンディショナーは、高価な装置であり、世帯普及率は高くなってきたが、一つの世帯の各部屋ごとに普及するまでには至っていない。また、エアーコンディショナーは大量の電力を消費するため、エアーコンディショナーが普及することによって社会全体の電力消費も増え、しかも、発電の大きな割合を化石燃料に頼っている現状では、エアーコンディショナーが普及することによって、地球全体の温暖化につながるという皮肉な結果を招く。また、エアーコンディショナーは、部屋の空気そのものを冷却するので、冷えすぎによって健康を損なうといった問題も考えられる。
【０００４】
上記問題を解決するために、本発明者はしている発明において、暑い季節でも消費電力が少なく、かつ快適に過ごすことのできる冷却衣服を案出している（特許文献１参照）。具体的には、送風手段が衣服と一体に形成された冷却衣服を装着するだけで、暑さを回避できる。
【０００５】
一方、体に接触させることで、暑い季節でも消費電力を省いた通気性敷物を公開している（例えば、特許文献２参照）。具体的には、シート状敷体の一面に両端開口の一方を敷体の周縁近くに位置させ、他方を敷体の内部に位置させるように渦巻き状の通気管が取り付けられた構成である。
【０００６】
また体に直接装着させることで、暑い季節でも快適に過ごせる空調用帯を公開している（例えば、特許文献３参照）。具体的には、身体に巻いて装着する空調用帯であって、空調用帯の内にあって略全周に亘って延びる空気通路と、空気通路と交差して少なくとも空調用帯の上部に開口を露出する複数の空気吹出口と空気通路に連結され、その空気通路内に空気を送り込むための空気取入れ口とを備えた構成である。
【０００７】
【特許文献１】
ＰＣＴ／ＪＰ０１／０１３６０
【特許文献２】
実開平６−２６６０６号公報
【特許文献３】
特開平６−３４６３０２号公報
【０００８】
【発明が解決しようとする課題】
しかしながら、上記冷却衣服では、送風手段が予め衣服と一体に取り付けられていたため、衣服を選択できず時間や場所等によっては対応することができなかった。
【０００９】
また、上記通気性敷物では、体と敷体との間の気流を促進させるために、外部から既存のエアーコンディショナーの冷気を開口に導入しなければならず、敷物単体で送風量や清涼感を増すことはできなかった。
【００１０】
また上記空調用帯も、外部に設けた送風機から連結ホースを介して空気取り入れ口に空気を供給しなければならず、空気用帯を装着したまま快適な環境下で過ごせる範囲には制限があった。
【００１１】
本発明はこのような事情に対応したものであり、送風希望箇所に自在に適用し、かつ簡易な構造で快適に過ごすことのできる送風装置を提供することを目的とする。
【００１２】
【課題を解決するための手段】
上述の課題を考慮して、本発明の帯状送風装置は次のような手段を採用する。
【００１３】
すなわち、請求項１の帯状送風装置では、複数の送風手段と前記送風手段を帯状に配列するための連結手段と隣り合う前記送風手段の隙間から空気が逆流するのを防止する遮蔽手段とを有し、帯状の空気の流れを生じさせることを特徴とする。
【００１４】
この手段では、帯状の方向性を有する送風量が十分に確保されると同時に送風源が提供される。
【００１５】
請求項２の帯状送風装置では、請求項１記載の帯状送風装置において前記連結手段は可動性を有し、全体として可撓性を有したことを特徴とする。
【００１６】
この手段では直線的な形状のみならず、曲線的な形状にも変化され、目的や用途に応じて送風装置が適用される。
【００１７】
請求項３の帯状送風装置では、請求項２記載の帯状送風装置において衣服の裏面に設けられたスペーサにより衣服と体又は衣服と下着との間に空気を流通させる流通路と、衣服の端部に設けられ前記流通路に外部の空気を流通させる空気流通部とを備え、前記流通路に空気の流れを強制的に生じさせ、汗を気化させ、気化熱で体を除湿または冷却させ、空気の流れを強制的に生じさせることを特徴とする。
【００１８】
この手段では、冷却服の外観を損なわずに大量の空気の流れが生じられる。
【００１９】
請求項４の帯状送風装置では、請求項３記載の帯状送風装置において衣服と体又は衣服と下着との間の空間を上下二つに仕切り前記流通路内に空気の流れを強制的に生じさせるための複数の送風手段と、前記送風手段に電力を供給する電源手段と、前記衣服の上部及び下部に設けられ前記流通路内の空気を外部に取り出すため又は外部の空気を前記流通路内に取り入れるための空気流通部とを備え、前記送風手段によって前記空気流通部から又は前記衣服の端部から外部の空気を前記流通路内に取り入れ、その取り入れた空気を前記流通路内に体又は下着の表面に略平行に流通させることを特徴とする。
【００２０】
この手段では、外部からの空気を体または下着に沿って流通させることで、体の表面近傍における温度を下げると共に発汗を気化させ、気化熱により、体が直接的に除湿または冷却される。
【００２１】
請求項５の帯状送風装置では、請求項１または２記載の帯状送風装置において表面に設けられた透湿性シート素材と、前記透湿性シート素材を裏面から支えると共に空気が流通する空間を確保するための略扁平状のスペーサとを備えており、表面から前記透湿性シート素材を介して前記空間内に透過した空気を前記空間内に流通する空気によって運び出す除湿または冷却装置に用いられる、前記空間内に強制的に空気を流通させることを特徴とする。
【００２２】
この手段では、略扁平状の流通路空間に略扁平状の送風が可能となる。
【００２３】
請求項６の帯状送風装置では、請求項１から５いずれか記載の帯状送風装置において前記送風手段はプロペラ部とモーター部が別体に設けられ前記モーター部の動力を前記プロペラ部に伝達するための動力伝達手段を有することを特徴とする。
【００２４】
この手段では帯状送風手段の巾を大きくすることなく、プロペラ、モーターの有効面積が大きくなる為、省電力化が計られる。
【００２５】
請求項７の帯状送風装置では、請求項６記載の帯状送風装置において前記モーター部は一又は複数個からなり、前記プロペラ部の数は前記モーター部の数より多数であることを特徴とする。
【００２６】
この手段では１つのモーターで多数のファンを回転させることにより、大風量化と更なる省電力化が計られる。
【００２７】
請求項８の帯状送風装置では、請求項６記載の帯状送風装置において前記動力伝達手段はプーリーとファンベルトからなることを特徴とする。
【００２８】
この手段ではプーリーとプーリーとの間にファンベルトが掛け渡されることでモーター部の動力が確実に伝達される。
【００２９】
【発明の実施の形態】
以下、本発明に係る帯状送風装置の実施の形態（１）について、図面，図１から図８を参照して説明する。図１は実施の形態（１）の帯状送風装置付衣服の装着図，図２は実施の形態（１）の帯状送風装置を帯状体に取り付けた状態の概略斜視図，図３は実施の形態（１）のプロペラ部の拡大正面図，拡大側面図，拡大背面図，図４は図１のＡ−Ａ線断面図，図５は実施の形態（１）の帯状送風装置の要部概略構成図，図６は図４をＣ方向から見た要部拡大図，図７は実施の形態（１）の帯状送風装置付衣服に用いられるスペーサ要部の概略拡大平面図，図８は図１のＢ−Ｂ線の要部拡大断面図である。
【００３０】
実施の形態（１）では、本発明の帯状送風装置を衣服に着脱自在に取り付けた帯状送風装置付衣服の場合を説明する。
【００３１】
帯状送風装置付衣服６は、上着７３の下側に組み合わせて被着されるものであって、体７０に下着７２が被着されている場合を示す。また帯状送風装置付衣服６は上端部（肩部）に布部６５を有したベストタイプを適用し、帯状送風装置付衣服６の前側左右はファスナー１１により閉じるタイプを適用する。尚、本発明では「下着」とは帯状送風装置付衣服６の下に被着するものを意味し、「上着」とは帯状送風装置付衣服６の上に被着するものを意味する。
【００３２】
帯状送風装置付衣服６は、衣服６０の裏面に設けられるスペーサ６１１，６２１，６４１により衣服６０と体７０又は下着７２との間に空気を流通させる流通路６１と、衣服６０の端部に設けられ外部と流通路に空気を流通させる空気流通部６２，６４とを備え、流通路６１と空気流通部６２，６４との間６３に、空気の流れを強制的に生じさせるための多数の送風手段１０を長手方向に亘って多数帯状に配列して帯状体６３０を構成し、帯状体６３０で空気の流れを遮断すると同時に送風手段１０が多数配列され帯状の空気の流れを生じさせ、かつ衣服６０から着脱自在に取り付けられる帯状送風装置１を備える概略構成である。
【００３３】
また空気流通部６２，６４は、外部から空気を取り入れる空気流入部６２と空気を外部へ排出する空気流出部６４とからなり、具体的には空気流入部６２から外部の空気を流通路６１内に取り入れ、その取り入れた空気を流通路６１内で帯状体６３０を介して体７０の表面に流通させ、体７０からの汗を気化させて空気流出部６４から外部に取り出せるように概略構成されている。
【００３４】
帯状体６３０は、多数の送風手段を帯状に配列させるための連結手段と、隣り合う送風手段の隙間から空気が逆流するのを防止する遮蔽手段とを有するものである。また帯状体６３０は、衣服６０の裏面に、かつ体の胴周り部分に巻回されるよう粘着テープ６３１で衣服６０から着脱自在に設けられる。帯状体６３０は、図２に示すように断面略矩形状のクッション構造であって、例えばポリウレタン等からなる。この帯状体６３０に送風手段１０が帯状すなわち曲線状Ｒ（１２ａ，１２ｂ，１２ｃ，１１・・・１２ｎ・・・）に亘って多数配列されることにより帯状送風装置１を構成している。
【００３５】
帯状送風装置１は、空気の流れを強制的に生じさせるための送風手段１０を多数備えている。送風手段の１０はプロペラ部１２とモーター部１１とが別体に設けられたものから構成され、モーター部１１からプロペラ部１２に動力を伝達する動力伝達手段２を有し、送風手段の１０は多数帯状体６３０に曲線状Ｒ（１２ａ，１２ｂ，１２ｃ，１１・・・１２ｎ・・・）に配列され、電源手段４が備えられる概略構成である。
【００３６】
まず帯状送風装置１の説明をする。
送風手段１０は、モーター部１１とモーター部１１より多数個のプロペラ部１２とからなる。
【００３７】
モーター部１１は筐体１３とモーター１１０から構成されている。またプロペラ部１２は、筐体１３とプロペラ１２０で構成されている。
【００３８】
筐体１３は、円筒状部材１３０と保持部材１３１からなる。保持部材１３１は円筒状部材１３０の上下の内側側面に設けられており、内側側面から中央に向かって軸受１４０，１４１を保持する部材である。このように構成された筐体１３は、プラスチックを用いてインジェクション成形により一体的に製造される。
【００３９】
モーター部１１ではモーター１１０の回転軸１１１が軸受１４１を介して筐体１３の下方向に突出されている。
【００４０】
プロペラ部１２では筐体１３の内部にプロペラ１２０を有している。プロペラ１２０は、図３に示すように円筒状部材１３０の内部に配設され、その直径が例えば１０ｍｍ〜５０ｍｍのものが用いられる。またプロペラ１２０の上端回転軸１２１が軸受１４０に取り付けられている。一方プロペラ１２０の下端回転軸１２１は円筒状部材１３０の下端に設けられた軸受１４１を介して筐体１３の下方向に突出されている。
【００４１】
すなわちモーター１１０の回転軸１１１とプロペラ１２０の回転軸１２１は、円筒状部材１３０の中心軸と略平行であり、円筒状部材１３０の表面に略垂直である。また、モーター１１０の下端回転軸１１１とプロペラ１２０の下端回転軸１２１は、動力伝達手段２へ取り付けられている。
【００４２】
動力伝達手段２は、モーター部１１からプロペラ部１２に動力を伝達するためのものであって、プーリー２０とファンベルト２１とからなる。
【００４３】
プーリー２０は、モーター１１０の回転軸１１１とプロペラ１２０の回転軸１２１の下端に取り付けられている。図５に示すように各々プーリー２０の上段と下段には、ファンベルト２１が掛け渡されている。これによりモーター１１０の回転軸１１１が回転すると同時に複数のプロペラ１２０の回転軸１２１が一斉に回転する仕組みとなっている。
【００４４】
電源手段４は、モーター部１１を駆動させるための電源ユニット４０であり、モーター部１１と接続されている。電源ユニット４０には電池，制御回路等が収納されている。この電池がモーター部に電力を供給する電源である。また、電源ユニット４０には、モーター部１１の駆動をオン／オフするスイッチ４１が設けられている。
【００４５】
電池としては、通常、経済性の観点から二次電池が用いられる。しかし、最も好ましいのは、電池として燃料電池を用いることである。燃料電池は、二次電池に比べて、小型であり、充電する手間もかからないからである。
【００４６】
以上の構成からなる多数のプロペラ部１２とモーター部１１が、図２に示すように、モーター１１０の回転軸１１１とプロペラ１２０の回転軸１２１が衣服６０または体７０，下着７２の表面と略平行になるように帯状体６３０の中に埋め込まれる様に取り付けられている。また電源手段４が帯状体６３０の一方端部に設けられている。従ってプロペラ部１２同士の間隔やモーター部１１とプロペラ部１２との間隔は帯状体６３０に設けられた埋め込み用孔位置で決まる。これにより帯状体６３０はプロペラ部１２、モーター部１１の連結手段の役割を果たすとともにプロペラ部１２、モーター部１１の隙間を埋め、空気の逆流を防ぐ遮蔽手段の役割を果たす。更に帯状体６３０はある程度フレキシブルな為、着用者の胴回り形状に応じて変形が可能である。従って帯状体６３０に多数のプロペラ部１２とモーター部１１が埋め込まれることにより、帯状送風装置１が構成される。
【００４７】
さらに帯状送風装置１は衣服６０の裏面に着脱自在に取り付けられる。
このとき、図２、図４に示すようにファスナー１１周辺は帯状体６３０が取り付けられていないため、空気漏れのおそれがある。このため、帯状体６３０の端部とファスナー１１との間隙を埋めるように密着部材６３３も併せて衣服６０の裏面に粘着テープ６３１を介して着脱自在に取り付けられている。これにより流通路６１と空気流通部６２，６４との間６３が形成される。したがって、密着部材６３３も帯状送風装置１と同様に空気が逆流するのを防止する遮蔽手段の役割を果たす。
【００４８】
帯状送風装置１の上方には流通路６１が設けられている。また流通路６１よりさらに上方に空気流入部６２が設けられ、帯状送風装置１の下方には空気流出部６４が設けられており、これら６１，６２，６４は衣服６０の一部を構成するとともに、裏面には一連にスペーサ６１１，６２１，６４１が取り付けられている。
【００４９】
流通路６１は、帯状送風装置付衣服６の内部で空気を流通させるための通路であり、スペーサ６１１が衣服６０の一部を構成するシート状素材６１０に縫い付けられることで形成される。シート状素材６１０は、帯状送風装置１と流通路６１に相当する箇所に用いられる。ここではシート状素材６１０は、体のほぼ胴周り部分に配置され、上記空気流入部６２と空気流出部６４との間に形成される。図１の例では、流通路６１を体の胴回りに配置されるよう、衣服６０の前側下端部に二つ、後側に一つ、合計三つ設けている。
【００５０】
シート状素材６１０は実質的に空気が漏れない素材であって、例えばダウンジャケットの表地などに使われる高密度布を用いる。高密度布は、通常の布と比べると高い密度で織られている。帯状送風装置付衣服６は体により温められて湿った空気を、スペーサ６１１により形成される流通路６１内を流通させて、空気流出部６４から排出することにより、かかる空気を外気と絶えず置き換えていくものであるため、空気が流通路６１内を流通する途中で衣服６０から漏れないようにする必要がある。高密度布は糸の密度が高いため、糸の間から外部へ漏れる空気の量が非常に少なく、ほとんどの空気が流通路６１内を通って空気流出部６４に達し、そこから外部に排出される。このため、高密度布は、シート状素材６１０として用いるのにとても望ましい。また、高密度布は、あくまでも布であるため、汚れた場合には家庭用の洗濯機などで容易に洗うことができるという利点もある。このような高密度布は、各種の目的で製造されており、安価で入手できる。尚、高密度布は空気流通性のよくないものであることが好ましいが、具体的には、高密度布として、５Ｐａの圧力を加えたときに、当該高密度布を単位時間、単位面積当たりに通過する空気の体積が５ｃｃ／ｃｍ２／ｓｅｃ以下であるものを用いる必要がある。
【００５１】
空気流通部６２，６４は、空気を取り入れ・排出するためのものであって、衣服６０の端部に、空気流通性のよいメッシュ状素材６２０，６４０の裏面にスペーサ６２１，６４１が取り付けられることで形成されている。空気流通部６２，６４は、空気流入部６２と空気排出部６４とから構成されている。
【００５２】
空気流入部６２は、外部の空気を帯状送風装置付衣服６内部へ取り入れるためのものであって、スペーサ６２１がメッシュ状素材６２０の裏面に縫い付けられることで形成される。空気流入部６２は、衣服６０の上部に取り付けられている。スペーサ６２１を衣服の上部に露出するよう取り付けることもよいが、メッシュ状の素材６２０を取り付けることで、スペーサ６２１が外へ飛び出さないようにするとともに、帯状送風装置付衣服６の外観上の違和感を少なくするためのものであり、空気流入部６２を衣服６０の前側上部に二つ、後側に一つ（図省略）、合計三つ設けている。また、襟首や袖の部分も、広い意味では空気流入部と考えることができる。
【００５３】
空気流出部６４は、帯状送風装置付衣服６内の空気を外部へ排出するためのものであって、スペーサ６４１がメッシュ状素材６４０の裏面に縫い付けられることで形成される。空気排出部６４は、衣服６０の下端部に取り付けられている。空気流出部６４も空気流入部６２と同様に、スペーサ６４１のみを衣服の下端部に露出するよう取り付けることも可能だが、メッシュ状素材６４０を取り付けることで、スペーサ６４１が外へ飛び出さないようにするとともに、帯状送風装置付衣服６の外観上の違和感を少なくするためのものである。空気流出部６４の横幅は、当該スペーサ６４１の横幅と略同程度である。空気流出部６４から外部の空気がスペーサ６４１内に流入する。空気流出部６４は、衣服６０の下端部の前側に二つ、その後側に一つ（図省略）の合計三つ設けている。
【００５４】
スペーサ６１１，６２１，６４１は、衣服６０と体７０又は衣服６０と下着７２との間に空気を流通させるための空気流通経路を形成するためのものである。この空間は、被着者が帯状送風装置付衣服１を被着したときに体７０または下着７２の表面と略平行な空気流通路を構成する。またスペーサ６１１，６２１，６４１は網目状シートを形成したものであって、実施の形態（１）ではメッシュスペーサを適用する。図７のメッシュスペーサ６１１は、流通路６１を構成するシート状素材６１０の裏面に取り付けられるスペーサを図示しているが、空気流通部６２，６４を構成するメッシュ状素材６２０，６４０の裏面にも同形状のスペーサが取り付けられている。メッシュスペーサは、軟質プラスチックの網目状シートを凸、凹の金型に入れ熱成型することにより、底点６１１１，６１１２から凸状の高さを有する凸状スペーサ６１１０が設けられ簡単に作ることができる。これにより少なくとも衣服６０と体７０又は衣服６０と下着７２との間には一定間隔を確保することができ、空気の流通を妨げることはない。
【００５５】
これらのスペーサ６１１，６２１，６４１はメッシュ状素材６２０，６４０，シート状素材６１０に縫い付けられる。具体的には、スペーサ６１１，６２１，６４１をメッシュ状素材６２０，６４０，シート状素材６１０の各々に対向させるようにして、スペーサ６１１，６２１，６４１をメッシュ状素材６２０，６４０，シート状素材６１０の所定位置に配置して、スペーサ６１１，６２１，６４１をメッシュ状素材６２０，６４０，シート状素材６１０に縫い付ける。こうして、三つのスペーサ６１１，６２１，６４１が得られる。なお、各スペーサ６１１，６２１，６４１の大きさ、サイズは、その取り付け位置等に応じて決められる。
【００５６】
メッシュ状素材６２０に縫い付けられたスペーサ６２１と衣服６０の上端に位置する布部６５を縫い付けることで帯状送風装置付衣服６となる。
【００５７】
なお動力伝達手段であるプーリーはモーターおよびプロペラの回転軸の下端に設けたが、モーターおよびプロペラの回転軸の上端に設けてもその効果は同様である。
【００５８】
電源手段は必ずしも帯状送風装置の一部とせず、別途設けても良い。
【００５９】
実施の形態（１）によれば、帯状に多数配列された送風手段と電源手段とを帯状体に取り付け、帯状送風装置を構成し帯状送風装置を衣服から着脱自在に取り付けたので、使用範囲が制限されずに体の胴周りに沿って常に新鮮な空気を送風することが出来る。また送風手段を帯状体の内部に設けるとともにモーター部の回転軸とプロペラ部の回転軸とを胴周りに沿って略曲線状に配列させることにより、帯状送風装置を境に空気が強制的に流れ、衣服内部には十分な空気が送風され、体からの汗を気化させることができる。また送風手段を略曲線状の配列による方向性を有した多量の空気を送風することができるとともに平面的な送風源を提供することができる。
【００６０】
本発明の実施の形態（２）について図面に基づいて説明するが、実施の形態（１）と同様の説明には同一符号を付し詳細を省略する。
【００６１】
実施の形態（２）は実施の形態（１）の帯状送風装置を組み込んだ帯状送風装置付敷体である。図９は実施の形態（２）の帯状送風装置付敷体の概略斜視図，図１０は実施の形態（２）の帯状送風装置の要部概略斜視図，図１１は図１０に示すカバー部材を取り除いた場合のＥ方向から見た要部拡大図，図１２は図９のＤ−Ｄ線の拡大断面図である。
【００６２】
帯状送風装置付敷体５は、図９に示すように表面に設けられた透湿性シート素材５１０と、透湿性シート素材５１０を裏面から支えると共に空気が流通する空間を確保するための略扁平状のスペーサ５１１とを備えて空気を流通させる流通路５１が設けられ、流通路５１の一方端に表面に設けられたメッシュ状素材５２０と、略扁平状のスペーサ５２１とを備えることで空気を流通路５１内に流通させる空気流通部５２とを備え、前記流通路５１の他方端に表面から透湿性シート素材５１０を介して空間内に透過した空気を空間内に流通する空気によって運び出す除湿または冷却装置に用いられ、空間内に強制的に空気を流通させるための帯状送風装置１を備える概略構成である。
【００６３】
帯状送風装置１は空気の流れを強制的に生じさせるための多数のプロペラ部１２とモーター部１１を帯状に多数配列するための連結手段３と、プロペラ部１２同士の隙間やプロペラ部１２とモーター部１１の隙間を埋めるように取り付けられ、かつ、送風手段からの送風量を全て流通路５１に流通させるための遮蔽手段とを兼ね備えた空気抵抗の高いスポンジ部材５３０を有する。
【００６４】
帯状送風装置１は、空気の流れを強制的に生じさせるための送風手段１０を多数備え、多数の送風手段１０はモーター部１１とプロペラ部１２とが別体に設けられた構成であり、モーター部１１からプロペラ部１２に動力を伝達する動力伝達手段２を有し、かつ前記送風手段１０は連結手段３を介して帯状，すなわち略直線状Ｓ（１２ｄ，１２ｅ，１１・・・１２ｎ・・・）に配列された概略構成である。
【００６５】
実施の形態（２）の帯状送風装置１が実施の形態（１）の帯状送風装置と異なる構成は電源手段４が帯状送風装置１とは別に設けられていること，動力伝達手段２の配置構成と新たに連結手段３を設けたことである。送風手段１０の構成は実施の形態（１）と同様なので省略する。
【００６６】
動力伝達手段２は、モーター部１１からプロペラ部１２に動力を伝達するためのものであって、プーリー２０とファンベルト２１とからなる。
【００６７】
プーリー２０は、モーター１１０の回転軸１１１とプロペラ１２０の回転軸１２１の上端に取り付けられている。図１０に示すように各々プーリー２０の上段と下段には、ファンベルト２１が掛け渡されている。これによりモーター１１０の回転軸１１１が回転すると同時に複数のプロペラ１２０の回転軸１２１が一斉に回転する仕組みとなっている。また、モーター１１０の回転軸１１１とプロペラの回転軸１２１とは敷体５１０，５２０の表面と略平行となるように取り付けられている。
【００６８】
連結手段３は可動性を有し、モーター部１１とプロペラ部１２とを自由に組み合わせて連結させるためのものであり、スプリング３０からなる。
【００６９】
スプリング３０は、図１０及び図１１に示すように各々の円筒状部材１３０の外側側面に取り付けられたフック部材１３２にスプリング３０の両端を掛け渡すことでモーター部１１−プロペラ部１２間またはプロペラ部１２−プロペラ部１２間を略直線状Ｓ（１２ｄ，１２ｅ，１１・・・１２ｎ・・・）に連結させている。これによりモーター部１１とプロペラ部１２との配列を自在に組み合わせることができ、スプリング３０の弾性力によりファンベルト２１が撓まない程度の曲線配置とすることもできる。この構成により帯状送風装置１は全体として可撓性を有することができる。
【００７０】
電源手段４は電源ユニット４０とスイッチ４１とから構成されていて、帯状送風装置１とは別に設けられている。
【００７１】
帯状送風装置１の表面には、流通路５１で用いる透湿性シート素材５１０を延長させて覆うことで外観上の向上が図られている。また帯状送風装置１の送風手段１０を敷体の幅に略一致するように直線状Ｓ（１２ｄ，１２ｅ，１１・・・１２ｎ・・・）に配列させることで、敷体内部には十分な空気が送風され常に新鮮な空気の流れが促進される。
【００７２】
流通路５１は、帯状送風装置付敷体５の内部で帯状送風装置１により強制的に生じる空気を流通させるための通路である。流通路５１は、スペーサ５１１が透湿性シート素材５１０の裏面に取り付けられることで形成される。
【００７３】
透湿性シート素材５１０は、帯状送風装置付敷体５の表面カバーであり臀部７１と直接接触するため、帯状送風装置付敷体５の大部分を占める位置に用いられる。透湿性シート素材５１０は水蒸気より大きく、水滴より小さい孔を持つ素材であり、体からの汗を発散する素材である。また高密度織物に強力な撥水処理したものや微多孔質フィルムを張り合わせた素材である。
【００７４】
空気流通部５２は、外部の空気を帯状送風装置付敷体５の内部へ取り入れるためのものであって、スペーサ５２１がメッシュ状素材５２０の裏面に取り付けられることで形成される。
【００７５】
上記透湿性シート素材５１０とメッシュ状素材５２０とは一連に縫い付けられて敷体５１０，５２０を構成している。また透湿性シート素材に取り付けられるスペーサ５１１とメッシュ状素材５２０に取り付けられるスペーサ５２１とは一連に縫い付けられている。
【００７６】
スペーサ５１１，５２１は、図１２に示すように帯状送風装置付敷体５と臀部７１との間に空気を流通させるための空気流通経路を形成するためのものである。スペーサ５１１，５２１は人が帯状送風装置付敷体５に座った場合に流通路を保持できる程度の弾力性を有している。またスペーサ５１１，５２１は実施の形態（１）のスペーサと同様の網目状シートを形成したものであって、メッシュスペーサを適用する。メッシュスペーサは、軟質プラスチックの網目状シートを凸、凹の金型に入れ熱成型することにより、凸状スペーサが設けられ簡単に作ることができる。
【００７７】
このように構成される流通路５１の透湿性シート素材５１０および空気流通部５２のメッシュ状素材５２０とを縫い付けることにより敷体が完成する。なお、透湿性シート素材５１０はスポンジ部材５３０まで延び、外観上はスポンジ部材５３０が見えないようになっている。また敷体は、空気を外部へ排出するために敷体の一側端部に開口を有している。開口を有した敷体の一側端部側の内部に帯状送風装置１を取り付けられて帯状送風装置付敷体５が完成する。このように帯状送風装置１はスペーサ５１１およびスポンジ部材５３０により形状が保持されているため、確実に空気を送風することができる。
【００７８】
実施の形態（２）によれば、帯状送風装置を敷体に取り付けたので送風源と十分な送風量を提供することが出来る。また使用範囲が制限されずに常に新鮮な空気を送風することができる。帯状送風装置の送風手段を敷体の幅に略一致するように直線状に配列させることにより、敷体内部には十分な空気が送風されるとともに常に新鮮な空気の流れを促進することができる。遮蔽手段を設けたので、送風手段による空気の流れを遮断すると同時に全送風量を漏れなく流すことができる。送風手段を略直線状の配列による方向性を有した多量の空気を送風することができるとともに平面的な送風源を提供することができる。またモーター部とプロペラ部とを別体に設けたことによりプロペラ部の更なる小型化が実現する一方でトータル面積を増やし多量の送風を送ることができる。さらにモーター部を大きくできるので電力消費を削減することができる。
【００７９】
なお、実施の形態（１）および（２）では、モーター部は略中央配置に配置しているが、例えばモーター部を送風手段の両端部に配置する等、目的に応じてモーター部とプロペラ部とを組み合わせることができる。
【００８０】
また、モーター部をプロペラ部列の下に配置しても良い。この場合は、モーター部に取り付けられたプーリーのみを外し、モーターの回転軸と一のプロペラの回転軸とを同一線上にする。プロペラ部列の回転軸は実施の形態（１）および（２）と同様に、プーリーとファンベルトとで一斉に回転するように構成することもできる。
【００８１】
また実施形態（１）では帯状体自体が連結手段，遮蔽手段，また連結手段の可動機能を果たし、実施形態（２）ではフック部材，スプリングが可動な連結手段となり、プロペラ部同士の隙間を埋めるスポンジ部材が空気の逆流を防ぐ遮蔽手段となっているが，これに限らず連結手段，可動手段，遮蔽手段は種々の方法が考えられる。
【００８２】
【本発明の効果】
以上のように、本発明に係る帯状送風装置は、目的や用途に応じて送風希望箇所に自在に適用し、かつ簡易な構造で快適に過ごすことができるという優れた効果を有する。
【００８３】
また、送風手段を多数に亘って配列させ帯状体を形成し略直線状または略曲線状とすることができるので、略直線状または略曲線状の方向性と可撓性を有した平面的な送風源を提供することができるという優れた効果も有する。
【００８４】
可動手段としてスプリングを設けたため、略直線状または略曲線状の配列を確実なものとすることができると同時に送風手段の配置を自在に組み合わせることができるという効果も有する。
【００８５】
送風手段においてモーター部とプロペラ部とを別体にし、かつモーター部数よりプロペラ部数を多数設けることで、プロペラ部の更なる小型化が実現する一方でトータル面積を増やし多量の送風を送ることができるとともにモーター部は電力消費の削減が図れ、製造コストの低廉化が図れる。
【００８６】
動力伝達手段を設けたことにより、送風手段の駆動が確実に行える。
【図面の簡単な説明】
【図１】実施の形態（１）の帯状送風装置付衣服の装着図である。
【図２】実施の形態（１）の帯状送風装置を帯状体に取り付けた状態の概略斜視図である。
【図３】実施の形態（１）のプロペラ部の拡大正面図，拡大側面図，拡大背面図である。
【図４】図１のＡ−Ａ線断面図である。
【図５】実施の形態（１）の帯状送風装置の要部概略構成図である。
【図６】図４をＣ方向から見た要部拡大図である。
【図７】実施の形態（１）の帯状送風装置付衣服に用いられるスペーサ要部の概略拡大平面図である。
【図８】図１のＢ−Ｂ線の要部拡大断面図である。
【図９】実施の形態（２）の帯状送風装置付敷体の概略斜視図である。
【図１０】実施の形態（２）の帯状送風装置の要部概略斜視図である。
【図１１】図１０に示すカバー部材を取り除いた場合のＥ方向から見た要部拡大図である。
【図１２】図９のＤ−Ｄ線の拡大断面図である。
【符号の説明】
１　　　　　　　　　帯状送風装置
１０　　　　　　　　送風手段
１１　　　　　　　　モーター部
１１０　　　　　　　モーター
１１１　　　　　　　モーターの回転軸
１２　　　　　　　　プロペラ部
１２０　　　　　　　プロペラ
１２１　　　　　　　プロペラの回転軸
１３　　　　　　　　筐体
１３０　　　　　　　円筒状部材
１３１　　　　　　　保持部材
１３２　　　　　　　フック部材
１４０，１４１　　　軸受
２　　　　　　　　　動力伝達手段
２０　　　　　　　　プーリー
２１　　　　　　　　ファンベルト
３　　　　　　　　　連結手段
３０　　　　　　　　スプリング
４　　　　　　　　　電源手段
４０　　　　　　　　電源ユニット
４１　　　　　　　　スイッチ
５　　　　　　　　　帯状送風装置付敷体
５１　　　　　　　　流通路
５１０　　　　　　　透湿性シート素材
５２　　　　　　　　空気吸入部
５２０　　　　　　　メッシュ状素材
５１１，５２１　　　スペーサ
５３０　　　　　　　スポンジ部材
６　　　　　　　　　帯状送風装置付衣服
６０　　　　　　　　衣服
６１　　　　　　　　流通路
６１０　　　　　　　シート状素材
６１１　　　　　　　スペーサ
６１１０　　　　　　凸状スペーサ
６１１１，６１１２　底点
６２　　　　　　　　空気流入部（空気流通部）
６４　　　　　　　　空気流出部（空気流通部）
６２０，６４０　　　メッシュ状素材
６２１，６４１　　　スペーサ
６３　　　　　　　　流通路―空気流通部間
６３０　　　　　　　帯状体
６３１　　　　　　　粘着テープ
６３２　　　　　　　帯状体の背部
６３３　　　　　　　密着部材
６５　　　　　　　　布部
７０　　　　　　　　体
７１　　　　　　　　臀部
７２　　　　　　　　下着
７３　　　　　　　　上着
Ｓ　　　　　　　　　直線状
Ｒ　　　　　　　　　曲線状
【図１】
2004124828.tif 000003
【図２】
2004124828.tif 000004
【図３】
2004124828.tif 000005
【図４】
2004124828.tif 000006
【図５】
2004124828.tif 000007
【図６】
2004124828.tif 000008
【図７】
2004124828.tif 000009
【図８】
2004124828.tif 000010
【図９】
2004124828.tif 000011
【図１０】
2004124828.tif 000012
【図１１】
2004124828.tif 000013
【図１２】
2004124828.tif 000014